【手続補正書】
【提出日】平成18年12月12日(2006.12.12)
【手続補正１】
【補正対象書類名】特許請求の範囲
【補正対象項目名】全文
【補正方法】変更
【補正の内容】
【特許請求の範囲】
【請求項１】
電話番号及びこの電話番号に対応した複数の端末装置の宛先情報を記憶管理する管理サーバと、前記管理サーバと通信接続すると共に複数の端末装置を収容接続するゲートウェイ装置と、前記ゲートウェイ装置に収容される端末装置とから構成される通信システムにおいて、
前記ゲートウェイ装置が、
前記端末装置にて入力された通信先の電話番号を問い合わせ対象の電話番号として前記管理サーバに問い合わせを行う問合せ手段と、
前記問い合わせの結果、問い合わせ対象の電話番号に対応する宛先情報を前記管理サーバより受信する宛先情報受信手段と、
前記受信した宛先情報を前記端末装置に送信する送信手段とを有し、
前記端末装置が、
通信先の電話番号を入力する入力手段と、
前記入力手段に入力された電話番号を前記ゲートウェイ装置に送信する送信手段と、
前記通信先に対応する宛先情報を前記ゲートウェイ装置から受信する受信手段と、
前記受信手段により受信した宛先情報を表示する表示手段とを有することを特徴とする通信システム。
【請求項２】
前記端末装置は、
前記宛先情報受信手段にて受信した宛先情報の内、自己が保有するサービス機能と同一のサービス機能に関わる宛先情報のみを前記表示手段に表示するよう制御する制御手段を有することを特徴とする請求項１記載の通信システム。
【請求項３】
前記端末装置は、
前記宛先情報受信手段にて受信した宛先情報からサービス機能を識別し、識別したサービス機能の名称を前記表示手段に表示するよう制御する制御手段を有することを特徴とする請求項１又は２記載の通信システム。
【請求項４】
前記端末装置は、
前記表示手段に表示中の宛先情報の内、任意のサービス機能に関わる宛先情報を選択する選択手段と、
この選択手段にて任意のサービス機能に関わる宛先情報を選択すると、このサービス機能に対応する宛先に対して通信動作を実行する通信制御手段とを有することを特徴とする請求項１、２又は３記載の通信システム。
【請求項５】
前記宛先情報は、少なくとも端末装置が保有するサービス機能を示すサービスフィールドと前記サービス機能別の宛先を示すＵＲＩスキームとを含むことを特徴とする請求項１から請求項４のいずれかに記載の通信システム。
【手続補正２】
【補正対象書類名】明細書
【補正対象項目名】発明の名称
【補正方法】変更
【補正の内容】
【発明の名称】通信システム
【手続補正３】
【補正対象書類名】明細書
【補正対象項目名】００１２
【補正方法】変更
【補正の内容】
【００１２】
上記目的を達成するために本発明の通信システムは、電話番号及びこの電話番号に対応した複数の端末装置の宛先情報を記憶管理する管理サーバと、前記管理サーバと通信接続すると共に複数の端末装置を収容接続するゲートウェイ装置と、前記ゲートウェイ装置に収容される端末装置とから構成される通信システムにおいて、前記ゲートウェイ装置が、
前記端末装置にて入力された通信先の電話番号を問い合わせ対象の電話番号として前記管理サーバに問い合わせを行う問合せ手段と、前記問い合わせの結果、問い合わせ対象の電話番号に対応する宛先情報を前記管理サーバより受信する宛先情報受信手段と、前記受信した宛先情報を前記端末装置に送信する送信手段とを有し、前記端末装置が、通信先の電話番号を入力する入力手段と、前記入力手段に入力された電話番号を前記ゲートウェイ装置に送信する送信手段と、前記通信先に対応する宛先情報を前記ゲートウェイ装置から受信する受信手段と、前記受信手段により受信した宛先情報を表示する表示手段とを有する構成とした。
【手続補正４】
【補正対象書類名】明細書
【補正対象項目名】００１３
【補正方法】変更
【補正の内容】
【００１３】
また、本発明の通信システムの端末装置は、前記宛先情報受信手段にて受信した宛先情報の内、自己が保有するサービス機能と同一のサービス機能に関わる宛先情報のみを前記表示手段に表示するよう制御する制御手段を有する構成とした。
【手続補正５】
【補正対象書類名】明細書
【補正対象項目名】００１４
【補正方法】変更
【補正の内容】
【００１４】
また、本発明の通信システムの端末装置は、前記宛先情報受信手段にて受信した宛先情報からサービス機能を識別し、識別したサービス機能の名称を前記表示手段に表示するよう制御する制御手段を有する構成とした。
また、本発明の通信システムの端末装置は、前記表示手段に表示中の宛先情報の内、任意のサービス機能に関わる宛先情報を選択する選択手段と、この選択手段にて任意のサービス機能に関わる宛先情報を選択すると、このサービス機能に対応する宛先に対して通信動作を実行する通信制御手段とを有する構成とした。
【手続補正６】
【補正対象書類名】明細書
【補正対象項目名】００１５
【補正方法】変更
【補正の内容】
【００１５】
また、本発明の通信システムにおいて、前記宛先情報は、少なくとも端末装置が保有するサービス機能を示すサービスフィールドと前記サービス機能別の宛先を示すＵＲＩスキームとを含む構成とした。
【手続補正７】
【補正対象書類名】明細書
【補正対象項目名】００１６
【補正方法】変更
【補正の内容】
【００１６】
上記のように構成された本発明の通信システムによれば、問い合わせ対象の電話番号をゲートウェイ装置から管理サーバに通知し、対応する宛先情報を管理サーバから取得して端末装置に送信し、端末装置が宛先情報を表示手段に表示するようにしたので、端末装置のユーザは、問い合わせ対象の電話番号に対応した各種サービス機能を視覚的に認識することができる。
【手続補正８】
【補正対象書類名】明細書
【補正対象項目名】００１７
【補正方法】変更
【補正の内容】
【００１７】
さらに、本発明の通信システムによれば、問い合わせ対象の電話番号に対応した宛先情報が管理サーバに複数ある場合、これら複数の宛先情報を取得することで、通信相手先の複数の宛先情報の内、他の宛先情報での通信も可能となり、その通信の操作性を大幅に向上させることができる。
【手続補正９】
【補正対象書類名】明細書
【補正対象項目名】００１８
【補正方法】変更
【補正の内容】
【００１８】
また、本発明の通信システムによれば、取得した宛先情報の内、自己が保有するサービス機能と同一のサービス機能に関わる宛先情報のみを表示するようにしたので、端末装置のユーザは、通信相手先が利用可能なサービス機能を視覚的に認識することができる。
【手続補正１０】
【補正対象書類名】明細書
【補正対象項目名】００１９
【補正方法】変更
【補正の内容】
【００１９】
また、本発明の通信システムによれば、取得した宛先情報からサービス機能を識別し、識別したサービス機能の名称を前記表示手段に表示するようにしたので、端末装置のユーザは、簡単に通信相手先が利用可能なサービス機能を視覚的に認識することができる。
また、本発明の通信システムによれば、表示中の宛先情報の内、任意のサービス機能に関わる宛先情報を選択すると、このサービス機能に対応する宛先に対して通信動作を実行するようにしたので、端末装置のユーザは、簡単な操作で所望のサービス機能による相手先との通信動作を実行することができる。
【手続補正１１】
【補正対象書類名】明細書
【補正対象項目名】００２０
【補正方法】変更
【補正の内容】
【００２０】
また、本発明の通信システムによれば、前記宛先情報は、少なくとも端末装置が保有するサービス機能を示すサービスフィールドと前記サービス機能別の宛先を示すＵＲＩスキームとを含む構成としたので、サービスフィールドを使用することでサービス機能の識別を大幅に軽減することができる。